Podtech/llm-jp-corpus-v4-ja_patent huggingface dataset:
(57)【要約】【課題】既設の住宅のベランダの柵あるいは手すりに後付けが簡単に行うことができ、高さの調節を行うに際し円滑に摺動し容易に操作できるブラインドを提供する。【解決手段】角筒１１の四隅を直角に凹ませて、底辺のない凸の字を上下に配置して一体にした断面形状とし、その一側面を長手方向に開口１２した外筒１０と、断面コの字の二つの角部と二つの端部に二個の鉤状を、その鉤部２１を向き合わせて一体に設けて摺動ライナー把持部２２とし、この摺動ライナー把持部２２に差し込んだ摺動ライナーＬを介して上記外筒１０に摺動可能に嵌められた摺動筒２０と、上記摺動筒２０の開口２３に直接または間接的に挿入固定されたルーバー枠３０とからなる。【選択図】図１
2007023489.tif 000002
【特許請求の範囲】
【請求項１】
角筒（１１）の二隅または四隅を直角に凹ませた断面形状とし、その一側面を長手方向に開口（１２）した外筒（１０）と、断面コの字の二つの角部と二つの端部にそれぞれ二個の鉤状で、その鉤部（２１）を向き合わせて一体に設けて摺動ライナー把持部（２２）とし、この摺動ライナー把持部（２２）に差し込んだ摺動ライナー（Ｌ）を介して上記外筒（１０）に摺動可能に嵌められる摺動筒（２０）と、上記摺動筒（２０）の開口（２３）に直接または間接的に挿入固定されたルーバー枠（３０）とからなるブラインド。
【請求項２】
上記摺動筒（２０）の開口（２３）に断面Ｈ型の部材（３１）を挿入しルーバー枠（３０）を嵌め込み、摺動筒（２０）にルーバー枠（３０）を固定してなる請求項１に記載のブラインド。
【請求項３】
上記外筒（１０）の凸部にビス孔を穿設し、ベランダの柵または手すりに外筒をビス止めしてなる請求項１または２に記載のブラインド。
【発明の詳細な説明】
【技術分野】
【０００１】
この発明はブラインド、とりわけベランダの柵あるいは手すりに取付け容易にした昇降可能なブラインドに関する。
【背景技術】
【０００２】
ベランダにブラインドを設ける技術として特許文献１および２がある。
【０００３】
【特許文献１】特開２００３−２０７２０号公報（要約および選択図面）
【０００４】
【特許文献２】特開平８−２１０５７号公報（要約および選択図面）
【発明の開示】
【発明が解決しようとする課題】
【０００５】
上記特許文献１は、ベランダの手すりにガイドを取付け、このガイドにルーバー枠を嵌めて上下に摺動可能にしたものである。また、特許文献２はベランダの柵に開度を調節可能にしたルーバーを取付けたものである。
【０００６】
特許文献１の先行技術は、ベランダの柵に後付け可能になっているが、ブラインドの高さを調節可能にしておらず、単にルーバー枠をガイド内で上下動できるようにしたものである。また特許文献２の先行技術は、後付けの考慮が払われておらず上下動もできないものである。
【０００７】
この発明は、既設の住宅のベランダの柵あるいは手すりに後付けが簡単に行うことができ、高さの調節を行うに際し円滑に摺動し容易に操作できるブラインドを提供することを課題とする。
【課題を解決するための手段】
【０００８】
上記課題を解決するためにこの発明は、角筒１１の二隅または四隅を直角に凹ませた断面形状とし、その一側面を長手方向に開口１２した外筒１０と、断面コの字の二つの角部と二つの端部のそれぞれに、二個の鉤状で、その鉤部２１を向き合わせて一体に設けて摺動ライナー把持部２２とし、この摺動ライナー把持部２２に差し込んだ摺動ライナーＬを介して上記外筒１０に摺動可能に嵌められた摺動筒２０と、上記摺動筒２０の開口２３に直接または間接的に挿入固定されたルーバー枠３０とからなる。
【発明の効果】
【０００９】
上記の如く構成するこの発明によれば、ベランダの柵や手すりに簡単に取付けることができ、外筒と摺動筒とは摺動ライナーを介して嵌め合わせているので上下の摺動が極めて円滑に行うことができる。
上記高さ調節は、ラック・ピニオン、ウォーム・ギヤー、ピン孔とピンなど公知の手段で適宜調節することができる。
【発明を実施するための最良の形態】
【００１０】
次にこの発明の実施形態を、図面を参照しながら説明する。外筒１０は、アルミニウムの押出し成型品で、角筒１１の四隅を直角に凹ませた断面形状とし、その一側面を長手方向に開口１２したものである。なお、外筒１０を、角筒１１の二隅を直角に凹ませた断面形状（図１（ｅ）参照）とすることもできる。
【００１１】
摺動筒２０は、アルミニウムの押出し成型品で、断面コの字の二つの角部と二つの端部に、二個の鉤状を、その鉤部２１を向き合わせて一体にしたもので、その向き合った鉤部２１を摺動ライナー把持部２２とし、この摺動ライナー把持部２２に摺動ライナーＬを差し込んだものである。
【００１２】
ルーバー枠３０の両端には断面Ｈ型の部材３１を嵌め、この部材３１をビスネジ３２により固定し、摺動筒２０の開口２３に嵌め込む、このとき摺動筒２０の開口２３の内面と、Ｈ型の部材３１の外面、ルーバー枠３０の外面とはぴったりとした状態で嵌り合いビスネジ３３により摺動筒２０にルーバー枠３０が取付けられる。
【００１３】
本発明のブラインドをベランダＢの柵に取付けるには、手すり４０あるいは横桟に雌ネジ４１を設け、外筒１０を宛がい、ビス孔１５と雌ネジ４１の位置を合わせてビスネジ４２を締付ける。このときビスネジを回す工具４３は、外筒１０に穿設した貫通孔１６から差し込んでビスネジを回す。
【００１４】
外筒１０の取り付けが終わると、ルーバー枠３０と一体になった摺動筒２０を外筒１０の中に差し込んで取り付けは完了する。
【００１５】
ルーバー枠３０の高さの調整は外筒１０にピン孔を穿設し、摺動筒２０に適宜間隔の調整孔を複数個穿設してピンＰを差し込むようにすることができ、ラック・ピニオン、ウォーム・ギヤーなど公知の回転運動−直線運動変換機構を採用してもよく、さらに前記機構を制御モーターにより駆動してもよい。
【産業上の利用可能性】
【００１６】
以上説明したとおりこの発明によれば既設のベランダの柵に簡単にブラインドを取付けることができ、また、外筒と摺動筒との間に摺動ライナーを介在させることによりスムースに上下に摺動させることができる。
【図面の簡単な説明】
【００１７】
【図１】（ａ）手すりに外筒を取付けた状態の断面図、（ｂ）摺動筒の断面図、（ｃ）Ｈ型部材の断面図、（ｄ）外筒に、ルーバー枠を取付けた摺動筒を差し込んだ状態の断面図、（ｅ）角筒の二隅を直角に凹ませた外筒の断面図
【図２】ベランダの柵に本発明に係るブラインドを取付けた一部切り欠き斜視図
【符号の説明】
【００１８】
１０  外筒
１１  角筒
１２  開口
１５  ビス孔
１６  貫通孔
２０  摺動筒
２１  鉤部
２２  ライナー把持部
２３  開口
３０  ルーバー枠
３１  Ｈ型の部材
３２，３３  ビスネジ
４０  手すり（横桟）
４１  雌ネジ
４２  ビスネジ
４３  工具（六角レンチ）
Ｂ  ベランダ
Ｌ  摺動ライナー
Ｐ  ピン
【図１】
2007023489.tif 000003
【図２】
2007023489.tif 000004
(57)【要約】【課題】  半導体集積回路において、レーザスポットの中心がヒューズ中心からずれた場合でも、確実に切断することが出来るヒューズを提供する。【解決手段】  ヒューズの配線を細くし、その配線を１回以上曲ることによって、従来のヒューズ幅と同様の幅を有するヒューズとする。【選択図】 図１
2007005511.tif 000002
【特許請求の範囲】
【請求項１】
半導体集積回路上に形成されたレーザーによってトリミングが可能なヒューズであって、前記ヒューズの配線が少なくとも１回折り返して構成されたことを特徴とするヒューズを備えた半導体集積回路。
【請求項２】
前記ヒューズは、２回折り返した３本の平行な配線を有することを特徴とする請求項1記載の半導体集積回路。
【請求項３】
前記ヒューズは、近接する２本の配線の中心線間の距離と配線幅を加えた長さが、前記トリミングのためのレーザスポットの有効スポット直径よりも狭い配線を有することを特徴とする請求項２記載の半導体集積回路。
【請求項４】
前記ヒューズは、外側の２本の配線の中心間の距離が、レーザスポットずれ幅にレーザスポットの有効スポット直径を加えた値よりも狭い配線を有することを特徴とする請求項２記載の半導体集積回路。
【請求項５】
前記ヒューズは、１回折り返したＶ字型の配線を有することを特徴とする請求項1記載の半導体集積回路。
【発明の詳細な説明】
【技術分野】
【０００１】
本発明は、半導体集積回路の特にレーザトリミングされるヒューズに関する。
【背景技術】
【０００２】
半導体集積回路において、レーザスポットによる切断が可能なヒューズを回路中に設けて、半導体集積回路を移動させながらレーザスポットをヒューズに照射し必要なヒューズを切断して、半導体集積回路に含まれるアナログ回路特性の調整を行うレーザトリミング方法が知られている。（例えば、特許文献１参照）
ヒューズは、例えば多結晶シリコン薄膜からなり、ヒューズにレーザスポットを照射することで、ヒューズの温度を上昇させ配線材を蒸発させることによって切断する。レーザスポットによりヒューズの切断を行う際、所定のヒューズ素子にレーザビームを照射するために、半導体集積回路表面に位置決め用パターンが設けられる。位置決めパターンは反射率の高い材料からなり、高い光反射量と低い光反射量との光反射量の変化する部分を用いて、トリミングに用いる基準となる位置を把握するものである。位置決めパターンとヒューズ素子との間の位置関係は設計時に決められている。従って、位置決めパターンにレーザビームを照射して、光反射量の変化する位置を検出することにより、所望のヒューズ素子の座標を計算し、座標にレーザビームを照射することによってヒューズ素子を切断することができる。
【０００３】
図２のように、従来のヒューズの形状を示す。従来のヒューズは、単純な方形であった。
【特許文献１】特開２００３−２０９１７５
【発明の開示】
【発明が解決しようとする課題】
【０００４】
しかしながら、ヒューズと異なる薄膜、例えばアルミニウムから形成される位置決め用パターンにより基準とする位置を検出して、ヒューズ素子である多結晶シリコン薄膜を切断した場合、半導体プロセス中に生じるアルミニウムのパターンと多結晶シリコン薄膜で形成した素子との合せずれによって座標がずれ、正確な位置決めができないことがある。従来の単純な方形のヒューズ形状では、正確な位置決めができずにレーザスポットの中心がヒューズ中心からずれた場合に、確実にヒューズを切断することができず、未切断部分が残る切断不良が発生すると言う不具合があった。
【課題を解決するための手段】
【０００５】
ヒューズの配線を細くし、その配線を１回以上曲ることによって、従来のヒューズ幅と同様の幅を有するヒューズとする。
【発明の効果】
【０００６】
本発明に関わる半導体集積回路のヒューズは、１つ以上の折れ曲がった形状で構成することによって、レーザスポットの位置ずれが発生しても、確実に切断することが可能である。
【発明を実施するための最良の形態】
【０００７】
【実施例１】
【０００８】
図１は、本発明の第一の実施例のヒューズ形状である。ヒューズ３は、配線を従来のヒューズよりも細くし、折り曲げて配線することによって従来のヒューズと同様の幅となるような形状とする。
【０００９】
図３（ａ）および（ｂ）は、図１に示した本発明の第一の実施例のヒューズの詳細図である。図３（ａ）において、隣接するヒューズの配線の中心線間の距離６と幅７を加えた長さは、レーザスポット４の有効スポット径５よりも狭く設定する。また図３（ｂ）において、外側の２本の配線の中心間の距離８は、合わせずれが原因でレーザスポットの中心がヒューズ中心からずれた場合のレーザスポットずれ領域９のレーザスポットずれ幅１０に、レーザスポット４の有効スポット直径５を加えた値よりも狭く設定する。
【００１０】
ヒューズ形状をこのように設定することで、レーザスポット４がレーザスポットずれ幅１０内のどの位置にずれても、ヒューズ３を完全に切断することができる。
【実施例２】
【００１１】
図４は、本発明の第二の実施例のヒューズ形状である。ヒューズ３は、配線を従来のヒューズよりも細くし、Ｖ字に折り曲げて配線する。このような形状にした場合においても、第一の実施例のヒューズと同様の設計をすることによって、同様な効果が得られる。
【図面の簡単な説明】
【００１２】
【図１】本発明の第一の実施例のヒューズの形状図である。
【図２】従来のヒューズの形状図である。
【図３】本発明の第一の実施例のヒューズの詳細図である。
【図４】本発明の第二の実施例のヒューズの形状図である。
【符号の説明】
【００１３】
１、２    接点
３        ヒューズ
４        レーザスポット
５        レーザスポットの有効スポット直径
９        レーザスポットずれ領域
１０      レーザスポットずれ幅
【図１】
2007005511.tif 000003
【図２】
2007005511.tif 000004
【図３】
2007005511.tif 000005
【図４】
2007005511.tif 000006
(57)【要約】【課題】  器具本体１０と反射笠２０との間に空間を設け、器具本体１０の温度上昇を押さる。【解決手段】  下面開放形の器具本体１０を備える。前記器具本体１０の内側に配置され該器具本体１０と離隔対向する下面関口形の反射笠２０を備える。前記反射笠２０の内側に配置する白熱電球４０を備える。前記反射笠２０における下部周縁の飾り枠３０に複数箇所を前記器具本体１０における対応箇所に連結する。前記下部周縁の飾り枠３０は垂直外周面に満３１を備える。前記器具本体１０の下面閉口部内面倒に引掛け爪１１を備える。  これにより前記反射笠２０の上部と前記器具本体１０における対応箇所との双方に接する連結部品を無くし、前記反射笠２０と器具本体１０との間に空間を作り、白熱電球４０の熱で熟せられた反射笠２０から器具本体１０に熱が伝わりにくくなり、天井埋込み形照明器具の温度上昇を押さえる。【選択図】    図１
2007005273.tif 000002
【特許請求の範囲】
【請求項１】
下面関口形の器具本体を備え、前記器具本体の内側に配置され該器具本体と離隔対向する下面関口形の反射笠を備え、前記反射笠の内側に配置する白熱電球を備え、前記反射笠における下部周縁の複数箇所を前記器具本体における対応箇所に連結し、前記反射笠における反射笠上部と前記器具本体における対応箇所との双方に接する連結部品を省略したことを特徴とする天井埋込み形照明器具。
【発明の詳細な説明】
【技術分野】
【０００１】  本発明は天井理込み形照明器具に関する。特にその温度上昇を下げる為の反射笠固定構造に関する。
【背景技術】
【０００２】  一般に、天井理込み形照明器具の反射笠はねじにより器具本体に直接固定されている。
【発明の開示】
【発明が解決しようとする課題】
【０００３】  前記従来例においては、反射笠上部が直接器具本体に固定されていると熱源となる白熱電球の熱を反射笠を介して器具本体に伝えやすく、器具温度が上昇してしまう、という問題がある。本発明はこの温度上昇を抑制することを目的とする。
【課題を解決するための手段】
【０００４】  本発明においては、天井理込み形照明器具の器具本体と反射笠の連結部品を省略し、器具本体と反射笠との接点を下部周縁の複数箇所にして上部の反射笠と本体との間に空間を設ける。
【発明の効果】
【０００５】  本発明によれば天井理込み形照明器具におけるド面関口形の器具本体を備え、前記器具本体の内側に配置され該器具本体と離隔対向する下面関口形の反射楼を備え、前記反射笠の内側に配置する白熱電球を備え、前記反射笠における下部用緑の複数箇所を前記器具本体における対応箇所に連結し、前記反射笠における反射笠上部と前記器具本体における対応箇所との双方に接する連結部品を省略し、器具本体と反射笠との間に空間を設けた事により熱源となる白熱電球により高温となった前記反射笠へ熱が伝わりにくく器具温度上昇を押さえる効果がある。
【発明を実施するための最良の形態】
【０００６】  図１を用いて本発明の実施形態について説明する。図示の天井込み形照明器具は下面開放形の器具本体１０を備え、前記器具本体１０の内側に配置され該器具本体１０と離隔対向する下面関口形の反射笠２０を備え、前記反射笠２０の内側に配置する白熱電球４０を備え、前記反射笠２０における下部周縁の飾り枠３０に複数箇所を前記器具本体１０における対応箇所に連結し、前記下部周縁の飾り枠３０は垂直外周面に満３１を備え、前記器具本体１０の下面閉口部内面倒に引掛け爪１１を備え、前記飾り枠３０を固定できる。これにより前記反射笠２０の上部と前記器具本体１０における対応箇所との双方に接する連結部品を無くすことができ、前記反射笠２０と器具本体１０との間に空間を作ることが出来るので、白熱電球４０の熱で熟せられた反射笠２０から器具本体１０に熱が伝わりにくくなり、天井埋込み形照明器具の温度上昇を押さえる効果がある。また反射笠２０の固定も容易になるので作業工数も軽減出来る。
【図面の簡単な説明】
【０００７】
【図１】本発明に係る天井埋込み形照明器具の断面図である。
【符号の説明】
【０００８】１０：器具本体
１１：引掛け爪
２０：反射笠
３０：飾り枠
３１：溝
４０：白熱電球
【図１】
2007005273.tif 000003
(57)【要約】      （修正有）【課題】電気時計が出来てからタイムスイチのハリを合せたりしないですみます。分電盤が動作してタイムスイッチを電気時計にしています。工事屋さんも便利になる事と思います。【解決手段】電気回路より分岐して時計回路を作りました。時計回路が動作して負荷側電気ができあがりました。ネオン回路、水銀灯、街路灯、その他電気時計の工事。【選択図】なし【特許請求の範囲】
【請求項１】
電気回路より分岐して時計回路を作りました時計回路が動作して負荷側電気が出来あがりました
ネオン回路水銀灯街路灯その他電気時計の工事
【発明の詳細な説明】
【技術分野】
【０００１】本発明は工事するごとにタイムスイッチのハリを合せなければならなかった【０００２】電気とタイムスイチで電気時計を作る方法を考えた結果電気回路から分岐して電気をタイムスイッチに流す事が出来ました【０００３】電気回路と時計回路が分電盤内で接触する事で電気時計の出来あがり
【図面の簡単な説明】〔図面〕  設計図面の説明
１００Ｖ單三式
〔図０１〕  漏電ブレーカ  ３０Ａ〜６０Ａ
ブレーカのスイッチは絶対切らない事
電源を接続
〔図０２〕  單三カバースイッチ３０Ａ〜６０Ａ
中性線アース線を接続する事
負荷側工事の時はかならずカバースイッチを切る事工事が終るまで入りにしないで下さい
負荷側の工事は電気時計が入になる前に工事をやめる事
電気時計の時間を見て工事して下さい
〔図０３〕
單三電磁接触器  ３０Ａ〜６０Ａ
負荷側を接続して下さい
〔図０１、０２、０３〕
電気回路
〔図面〕  設計図面の説明
〔図０４〕  カットアウトスイッチ（安全器）１５Ａ
図０２の單三カバースイッチ一次側から接続して安全器を取付けました
このカットアウトスイッチを絶対切らないで下さい
切りにされると電気時計が止まってしまいますから時計回路は止めなくても大丈夫ですからヒューズを取付しておく事・・・２、６は電線の太さ
〔図０５〕  タイムスイッチ２４間製  １５Ａ
タイムスイッチは停電で電源が切れたりしたらカバーをはずして時計のハリは現在時刻の矢印の方向に合せて下さい
〔図０６〕  單相電磁接触器  １５Ａ
Ｃ１．Ｃ２はマグネットの接触
〔図０７〕  カバースイッチ  １５Ａ
工事が終ったら実験テスト図０２單三カバースイッチを入りにする事
それからこのカバースイッチを入りにします
負荷側・・・・・ネオン回路、水銀灯、街路灯その他の点灯が終ったらこのスイッチを切りにして下さい
〔図０１、０２、０３〕電気回路
〔図０４、０５、０６、０７〕時計回路
（電気時計分電盤）
2007005274.tif 000002
【手続補正書】
【提出日】平成18年3月13日(2006.3.13)
【手続補正１】
【補正対象書類名】明細書
【補正対象項目名】全文
【補正方法】変更
【補正の内容】
【発明の詳細な説明】
技術分野
【０００１】前回の図面図０４−０７といっしょに二次側へ入れていたら逆流しました
それで新しいスイッチ図０８を取付けて二次側それぞれ一回路づつにしました
背景技術
【０００２】それから図面だけ作っても実験しなければだめなものだと思いました
【発明が解決しようとする課題】
【０００３】図０８を取付けました早く実験していただいて下さい
【図面の簡単な説明】図０８は図０７え送る回路です  ０４図の一次側に２、６で接続しております
こんどは逆流はなくなりました【図】設計図の説明  〔図０４〕カットアウトスイッチ（安全器）１５Ａ  図０２の單三カバースイッチ一次側から安全器を取り付けました  この安全器を絶対に切らないで下さい  切りにされると電気時計が止まってしまいますから時計回路は止めなくても大丈夫ですからヒューズを取付しておく事・・・・２、６電線の太さ  〔図０５〕タイムスイッチ２４時間製  １５Ａ  タイムスイッチは停電で電源が切れたりしたらカバーをはずして時計のハリは現在時刻の失印の方向に合わせて下さい  〔図０６〕單相電磁接触器  １５Ａ  Ｃ１、Ｃ２はマグネットの接触  〔図０７〕カバースイッチ  １５Ａ  〔図０８〕カバースイッチ  （新設）１５Ａ  工事が終わったら実験テスト図０２單三カバースイツチを入りにする事  終わったら図０８のスイッチを入れて下さいそして図０７のスイッチを入りにしてテストをして下さい  終わったら図０８図０７のスイッチ切にして下さい。
【図】〔０１．０２．０３．図〕電気回路
【図】〔０４．０５．０６．０７．０８図〕時計回路  工事中はかならず図０２のスイッチを切る事
【手続補正２】
【補正対象書類名】図面
【補正対象項目名】全図
【補正方法】変更
【補正の内容】
2007005274.tif 000003
2007005274.tif 000004
(57)【要約】      （修正有）【課題】  熱源となる白熱電球からの熱伝導の影響が受けにくい、器具の温度上昇の少ない、コストの低い器具を提供する。【解決手段】  下面開口形で内側に離隔対向する反射等２０を備える。前記反射等２０の内側に光源となる白熱電球３０を配置する。前記反射笠２０の中央で前記白熱電球３０に最近接する最接近点から一方側に変移した位置に一方の取付孔１１を形成する。最接近点から他方側に変移した他方の取付孔２１を形成する。前記各取付孔１１と取付孔２Ｌの位置を前記器具本体１０へ固定する一対の止めねじ４０を備える。前記器具本体１０・反射笠２０との間に介在するスペーサ５０を備える。前記スペーサ５０は金属よりも熱伝導の小さな合成樹脂製である。前記スペーサ５０に前記各止めねじ４０を貫通させる受孔を形成する。【選択図】    図１
2007005271.tif 000002
【特許請求の範囲】
【請求項１】
下面開口形の器具本体を備え、前記器具本体の内側に配置され該器具本体と離隔対向する反射笠を備え、前記反射笠の内側に配置する白熱電球を備え、前記反射笠の中央であって前記白熱電球と最接近する最接近点から一方側に変移した位置に一方の取付孔を形成し、最接近点から他方側に変移した位置に他方の取付孔を形成し、前記各取付孔の位置を前記器具本体へねじ止めする一対の止めねじを備え、前記器具本体・反射笠間に介在するスペーサを備え、前記スペーサは金属よりも熱伝導の小さな合成樹脂製であり、前記スペーサに前記各止めねじを貫通させる受孔を形成し、前記スペーサを各受孔を結ぶ方向を長尺としそれに直交する方向を短尺とする帯状としたことを特徴とする天井埋込み形照明器具。
【発明の詳細な説明】
【技術分野】
【０００１】  本発明は天井埋込み形照明器具の断熱施工タイプの器具温度を下げる構造に関する。
【背景技術】
【０００２】  一般に、天井埋込み形照明器具の構造において、断熱施工対応の器具は反射笠が直接本体にねじで固定していて遮熱板をつけるか、遮熱構造付きの金属スペーサを介してねじ固定する。
【発明の開示】
【発明が解決しようとする課題】
【０００３】
【０００４】  一般に、断熱施工タイプの器具においては、器具の温度上昇が問題になる為器具の温度が上がりにくい構造にする必要があるが器具の構造上熱源となる白熱電球の近い位置に反射笠を設けなくてはならず、その為には反射笠の中央付近を直接本体にねじ固定するようになってしまう為、熱源からの熱を反射笠を通し伝わりやすくなるので器具背面に遮熱板を設けないと器具温度が下げられず器具埋込み深さが増す問題があった。また、器具温度を下げる為、反射笠と器具本体間をあげ、金属スペーサを使って本体にねじ固定するとスペーサ部分から熱が本体に伝わる為、スペーサ部分に遮熱構造を設ける必要があり、部品点数が増え組立コストが上がってしまう問題があった。本発明の目的は以上の難点を解決することである。
【課題を解決するための手段】
【０００５】  本発明は、器具本体の内側に配置され該器具本体と離隔対向する反射笠を備え、前記反射笠の内側に配置する熱源となる白熱電球を備え、前記反射笠の中央であって前記白熱電球と最接近する最接近点から一方側に変移した位置に一方の取付孔を形成し、最接近点から他方側に変移した位置に他方の取付孔を形成し、前記各取付孔の位置を前記器具本体へねじ止め固定する一対の止めねじを備え、前記器具本体・反射笠間に介在するスペーサを備え、前記スペーサは金属よりも熱伝導の小さな合成樹脂製の部材であり、前記スペーサに前記各止めねじを貫通させる受孔を形成し、前記スペーサを各受孔を結ぶ方向を長尺としそれに直交する方向を短尺とする帯状としたものである。
【発明の効果】
【０００６】  本発明によれば断熱施工天井対応器具において、器具本体の内側に配置された反射笠と器具本体間に熱伝導の小さな合成樹脂製スペーサ介在としたことにより熱源となる白熱電球からの熱伝導の影響が受けにくくなる為、器具の温度上昇を防ぐ効果がある。また構造が単純で部品点数も少なくなるのでコスト低減にも効果がある。
【発明を実施するための最良の形態】
【０００７】  本発明の実施形態を図１を用いて説明する。天井埋込み形照明器具の器具本体１０は下面開口形で内側に離隔対向する反射等２０を備え、前記反射等２０の内側に光源となる白熱電球３０を配置している。前記反射笠２０の中央で前記白熱電球３０に最近接する最接近点から一方側に変移した位置に一方の取付孔１１を形成し、最接近点から他方側に変移した他方の取付孔２１を形成し、前記各取付孔１１と取付孔２Ｌの位置を前記器具本体１０へ固定する一対の止めねじ４０を備え、前記器具本体１０・反射笠２０との間に介在するスペーサ５０を備え、前記スペーサ５０は金属よりも熱伝導の小さな合成樹脂製であり、前記スペーサ５０に前記各止めねじ４０を貫通させる受孔を形成し、前記スペーサ５０を各受孔を結ぶ方向を長尺としそれに直交する方向を短尺とする帯状としたものであり、熱源となる白熱電球３０で熱された反射笠２０の熱がスペーサ５０により器具本体１０に伝わりにくくなる為、器具本体１０の外郭温度が上がらなくなる。また遮熱板等の部品が少なくて済むのでコストダウンにも効果がある。
【図面の簡単な説明】
【０００８】
【図１】本発明器具の断面図
【符号の説明】
１０：器具本体
１１：取付孔
２０：反射笠
２１：取付孔
３０：白熱電球
４０：止めねじ
５０：スペーサ
【図１】
2007005271.tif 000003
(57)【要約】【課題】  ランソケットの形状（寸法）が違う器具において、器具本体１０および連結部品の部品共用を図る。【解決手段】  長尺な器具本体１０を備える。前記器具本体１０の両端部に装着されるソケット台２０を備える。前記各ソケット台２０に装着されるランプソケット３０・３２を備える。前記各ランプソケット３０・３２間に着脱自在に装着され前記器具本体１０の下方に位置する直管形の蛍光ランプ４０を備える。  前記各ソケット台２０は前記ランプソケット３０・３２を保持するソケット台本体部を具備する。前記各ソケット台２０は前記ソケット台本体部から延在する長さ補填部２２を具備する。前記長さ補填部２２は前記器具本体１０の端部と係合する。前記長さ補填部２２は前記器具本体１０の主天面と同一高さの補助天面を具備する。【選択図】    図１
2007005272.tif 000002
【特許請求の範囲】
【請求項１】
長尺な器具本体を備え、前記器具本体の両端部に装着されるソケット台を備え、前記各ソケット台に装着されるランプソケットを備え、前記各ランプソケット間に着脱自在に装着され前記器具本体の下方に位置する直管形の蛍光ランプを備え、
前記各ソケット台は前記ランプソケットを保持するソケット台本体部を具備し、前記各ソケット台は前記ソケット台本体部から延在する長さ補填部を具備し、前記長さ補填部は前記器具本体の端部と係合し、前記長さ補填部は前記器具本体の主天面と同一高さの補助天面を具備することを特徴とする直管形蛍光灯器具。
【発明の詳細な説明】
【技術分野】
【０００１】  本発明は、直管形蛍光灯器具の構造に関する。
【背景技術】
【０００２】  新商品開発において蛍光ランプ全長が同じで数種類のソケット形状（寸法）が違う機種を検討するなかで、既存の標準部品である本体および連結部品の採用可否を検討するなかで本考案に至った。
【発明の開示】
【発明が解決しようとする課題】
【０００３】  本発明の課題は、ランソケットの形状（寸法）が違う器具において、器具本体および連結部品の部品共用を図ることである。
【課題を解決するための手段】
【０００４】  本発明においては、ランプソケットの形状（寸法）の相違による器具全長違いを補う為のソケット台の構造とすることにより上記課題を解決する。
【発明の効果】
【０００５】  本発明によれば、標準部品である器具本体および連結部品の共用化を図れる。
【発明を実施するための最良の形態】
【０００６】  本発明の実施形態を図１・図２を用いて説明する。図２の上段は本発明器具、下段は参考対比のための従来器具です。本発明器具は、長尺な器具本体１０に、器具本体１０の両端部に装着されたソケット台２０、各ソケット台２０に装着されるランプソケット３０、各ランプソケット間に着脱自在に装着され器具本体１０の下方に位置する直管形の蛍光ランプ４０、器具本体１０およびソケット台２０を覆い被せるよう配置される反射板５０、複数の照明器具の直列配置を容易に施工する為の連結部品６０により主に構成されている。
従来技術では、蛍光ランプ４０の全長が同じで、ランプソケット３０より外形が大きく形状の違うランプソケット３２を使用する場合は、器具本体１０・反射板５０の全長をランプソケット３２形状（寸法）に合わせ変更する必要があった。
本発明技術では、蛍光ランプ４０の全長が同じで、ランプソケット３０より外形が大きく形状の違うランプソケット３２を使用する場合において、ソケット台２０にソケット台２０から延在する長さ補填部２２を器具本体１０の主天面と同一高さになるよう形成し器具本体１０端部と係合させ、補填部２２が器具本体１０の補助天面となることにより、ランプソケットの形状（寸法）相違の場合においても器具本体１０の全長を変更する必要がなく、反射板５０を反射板５２に変更するのみとなる。
また複数の照明器具の直列配置する場合において、従来技術の反射板５０端部５４と器具本体１０の距離で設定された直列配置を容易にする連結部品も、本考案技術での反射板５２端部５６とソケット台２０に形成された補填部２２の距離を従来技術での反射板端部５６と器具本体１０と同一にすることにより、連結部品６０の共用化も図れる。
【図面の簡単な説明】
【０００７】
【図１】本発明器具の端部を示す斜視図
【図２】本発明器具の連結構造を示す説明図
【符号の説明】
【０００８】１０：器具本体
２０：ソケット台
２２：ソケット台２０に形成された補填部
３０・３２：ランプソケット
４０：蛍光ランプ
５０・５２：反射板
５４：反射板５０の端部
５６：反射板５２の端部
６０：連結部品
【図１】
2007005272.tif 000003
【図２】
2007005272.tif 000004
(57)【要約】      （修正有）【課題】受信機の音量が絞られていると音が聞こえない、音声信号の入力レベルを大きくすると音量を絞れば良い、普通のマイクでは聞こえない等の機能を有するモジュレータを提供する。【解決手段】電源コード、電源スイッチ、エミッター端子、増設モジュレーター端子、及びエミッターとモジュレーターの切り替えスイッチを有するモジュレーター。【選択図】図１
2007005745.tif 000002
【特許請求の範囲】
【請求項１】
一個人接続特許申請許可お願い申し上げます。
【発明の詳細な説明】
【技術分野】  モジュレーター
本機の機能
受信機の音量が絞られていると音がきこえない
音声信号の入力レベル大きくすぎると音量を絞ば良い
普通のマイクでわきこえない。
マイク自身の機能に電波が飛ぶ機能ついていれば電波が飛ぶが、モジュレーターわひろわない
モジュレーター機能に内臓されてない
カラオケなどでよくつかうマイク機能に内臓されている。機械であれば電波が飛ぶがモジュレーターわひろわない。モジュレーターに内臓されてないから
【図面の簡単な説明】〔図１〕モジュレーター、エミッターから電波とぶ内臓された、機能にスピーカーイヤホンなっていれば、本体図です
【図１】
2007005745.tif 000003
【手続補正書】
【提出日】平成17年8月19日(2005.8.19)
【手続補正３】
【補正対象書類名】図面
【補正対象項目名】全図
【補正方法】変更
【補正の内容】
【図１】
2007005745.tif 000004
【図２】
2007005745.tif 000005
(57)【要約】      （修正有） 【課題】より少ない電流量で効率的に２つのトランジスタゲートを動作させる事ができる電界効果トランジスタの構造の提供。【解決手段】表面を絶縁皮膜処理したゲート端子板の両面に、Ｐチャンネルトランジスタ、Ｎチャンネルトランジスタを接合する。【選択図】図１
2007005742.tif 000002
【特許請求の範囲】
【請求項１】
表面を絶縁皮膜処理したゲート端子板の両面に、Ｐチャンネルトランジスタ、Ｎチャンネルトランジスタを接合し、１つのゲート端子板の両面の表面積を利用して２基１対のトランジスタゲートを同時に制御する電界効果トランジスタ（以下、「対向ゲートＦＥＴ」という。）。
【発明の詳細な説明】
【技術分野】電界効果トランジスタの技術に関する。
【背景技術】
【０００１】従来主に使用されるＭＯＳ電界効果トランジスタの敷設方法では、各トランジスタは回路基板上の異なる平面座標位置に個別に敷設される。
【発明の開示】
【発明が解決しようとする課題】
【０００２】ＭＯＳ電界効果トランジスタ単体では電気配線の導通と遮断を切り替えるのみの機能しか持たないため、主にデジタル回路内では、出力信号を任意の２値に制御するために、Ｐ型、Ｎ型の２種類のトランジスタを相補的に動作させるＣ−ＭＯＳＦＥＴの用法が広く採用される。このような、トランジスタ同士が同一のゲート入力信号を共有する用法において、従来の回路構成にあっては、別個の２つのトランジスタゲートを動作させるために、２つのゲート端子もしくは２つ分の平面投影面積を持つゲート端子に同時に十分な電流量の電位信号を入力する必要があり、電力消費もしくは動作速度においての不利益を有する問題があった。
【課題を解決するための手段】
【０００３】対向ゲートＦＥＴの構造を採用する。
【発明の効果】
【０００４】一つのゲート端子板の表面積を効率的に活用する機構のため、より少ない電流量で効率的に２つのトランジスタゲートを動作させる事が出来る。【０００５】一体型構造により、電子回路基板上における実装面積の縮小に寄与する。
【発明を実施するための最良の形態】
【０００６】図１のとおり、表面を絶縁皮膜処理したゲート端子板の両面にＰ−Ｎ−Ｐダイオード、Ｎ−Ｐ−Ｎダイオードを接合し、各半導体およびゲート端子板に配線接続用の端子を取り付ける。また、ゲート端子板とゲート入力配線は側面から接続する。【０００７】当該トランジスタのＮチャンネルゲート側のソース（入力）端子から固定的にＨｉｇｈ電位を、もしくはＰチャンネルゲート側のソース（入力）端子から固定的にＬｏｗ電位を入力して使用する場合には、それぞれＨｉｇｈ電位入力端子およびＬｏｗ電位入力端子の敷設は必須ではない。【０００８】図２は、多数のトランジスタを併用する用途のための、複数一体型の対向ゲートＦＥＴである。トランジスタ同士を直列に接続する配線を実施する場合には、両端の２つのソース・ドレイン端子のみを、ソース（入力）端子およびドレイン（出力）端子としてして使用する。トランジスタ同士を並列に接続する配線を実施する場合には、全てのソース・ドレイン端子を、一つおきにソース（入力）端子、ドレイン（出力）端子として使用する。
【図面の簡単な説明】
【図１】対向ゲートＦＥＴ。
【図２】複数一体型の対向ゲートＦＥＴ。
【図１】
2007005742.tif 000003
【図２】
2007005742.tif 000004
(57)【要約】      （修正有）【課題】安心・安全かつ容易に、売主は歩留まり在庫を抱えず商品を必要とする買主に素早く紹介・斡旋し販売を行うことにより、売主・買主、双方とも適正価格での商品売買を行う。【解決手段】コンピュータシステム及び商品の販売仕入に精通した運営者が仲立ちし代行することにより、インターネットを用いた商品販売を行い煩わしいコンピュータの利用を排除することにより必要最低限の運用でスピーディな商品紹介ができ、安心・安全で容易、かつ、オークション形式により売主、買主双方が適正価格で商品販売を行うことを可能にした。【選択図】なし【特許請求の範囲】
【請求項１】
法人専用の会員制とし、売主と運営者が販売委託契約を結び、販売委託を受けた運営者と買主との間で売買行為を行う。
売買はオークション形式としインターネットを用いた販売方法で、インターネットサイトは至って簡単で扱い易いものとし、視覚的に商品を検索等が容易に出来、欲しいものを欲しい価格で検索を行え、即、購入希望することが可能である。したがって、一般的なオークションサイトのように売買の場を提供するだけではなく、また、売主・買主間で直接的な売買を行うのではなく、運営者が仲立ちを行い、代行で会員の買主と売買を行うため、冷やかし悪戯や行き違いもなく、安心で安全その上、容易である、すなわち、今までのメーカ→卸→販売店→消費者の一般的な販売ルートを運営者が売主の営業出荷等業務をも代理しつつ、かつ、インターネットを用いたオークション形式での商品の販売及び斡旋業務を行うことであり、この商品販売方式をビジネスモデル特許として請求する。運営会社が取り扱う製品は、委託販売を行うことが可能な製品全てを対象とする。
【発明の詳細な説明】
【技術分野】
【０００１】
本発明は、売主から販売委託を請け、運営者が代理によりオークション形式で商品の売買を安心・安全・簡単に行う法人専用のインターネットサイトである。
【背景技術】
【０００２】
一般的なインターネットオークションサイトでは、商品売買の場を提供するだけで、売主・買主間で直接的な売買を行うため、冷やかしや悪戯も発生し、かつ、公の場としてのインターネット上には顧客の個人情報やクレジットカード番号などの情報を管理しており、重要な情報が漏洩する可能性がある。
【０００３】
また、買主が決定し売買が成立しても、その後、金員の回収が不能になったり、売主から製品が届かない、届いた製品が破損している、取り替えてくれない、返品できない等の問題が多発しているにもかかわらず、通常のオークションサイトでは殆どの場合、可能な努力はしているものの責任の範疇でなく解決しがたい状況が見受けられる。
【０００４】
そのうえ、利用するに当たってユーザー登録や商品の登録等を行うにもパソコン等の初心者には手順が分りづらいシステムで欠点でもあった。
【０００５】
上記のことは、法人が商取引で利用するには、なおのこと問題とされる。
【発明の開示】
【発明が解決しようとする課題】
【０００６】
解決しようとする問題点は、情報漏洩の回避、商品と金員の確実な受け渡しが、安心でき安全に行え、誰もが簡単に利用できるオークションシステムである点であり、かつ、法人が商取引に利用できる点である。
【課題を解決するための手段】
【０００７】
法人専用の会員制とし会員登録する際には審査を行い優良な法人のみで運営を行い、売主、買主ともに運営者との間で会員情報、規約の説明から会員IDの交付までインターネット等を使用せず、書類で取り交わす。売主とは販売委託契約を結び、商品のインターネットオークションサイトへの登録作業は運営者が代行し、運営者と買主の間で商品売買を行う。
【０００８】
したがって、コンピュータ上、保存される情報は会員名、会員の連絡先と商品情報等の基礎情報のみになり、また、インターネットオークションサイト上では、売主及び買主の実名が表示されることはなく、売主・買主ともに匿名となるため、会員である法人に直接、悪意のある会員や外部の者が悪戯を行うことも、冷やかしなども発生することもなく、かつ、運営者が実直に運営することにより商品、金員の受け渡しトラブルを避けることができる。
【０００９】
本インターネットオークションサイトは、商品の閲覧と購入指示に徹しているため、至って簡単に利用できるシステムであり、商品に関する問い合わせの回答、写真だけでは分かりずらい場合のサンプル品の発送は、売主に代わって運営者が行うことにより商品の確認は事前に行える。その上、商品の売買が成立した際には、運営者が売主に代わって買主に対して代金の請求及び回収と買主への商品の発送と発送前の検品作業を行う。
【発明の効果】
【００１０】
売主は匿名のため、定番商品だけではなく、新製品の発売時にサンプル的に市場ニーズや価格設定を調査することにも役立ち、市場性と適正価格を知ることが出来、また、仮に過剰生産や歩留まりの製品を社名を公にすることなく、速やかに販売し現金化することが可能で不要製品と思われるものでも新たな広域な販路で必要者の発見が速やかにでき、強いては物資の再利用が可能で物余り日本の現状を打開すべく社会的効果が期待できる。
【００１１】
日本古来の問屋・卸制や独占市場に近い販売そのものは否定しないが、店の規模や財務内容により仕入れしたくても仕入れができない、また、いかに優れた製品を発明したとしても販売ルートの開拓や大手企業との競争や力関係に勝てずに埋もれていく製品を素早い商品紹介と現金売買が可能な販売市場として市場の活性化に役立てることが可能であり、オークション形式であるため、売り手市場も、買い手市場も適正価格での売買市場が確立できる。
【発明を実施するための最良の形態】
【００１２】
【実施例１】
【００１３】
【産業上の利用可能性】
【００１４】
【図面の簡単な説明】
【００１５】
【図１】顧客の勧誘及び登録から会員契約までの流れを説明した図である。
【図２】商品出品から落札までの流れを説明した図である。
【図３】落札後の業務の流れを説明した図である。（実施例２）
【符号の説明】
【００１６】
【図１】
2007115063.tif 000002
【図２】
2007115063.tif 000003
【図３】
2007115063.tif 000004